(57)【特許請求の範囲】
【請求項１】
第２流体を含んでいるカートリッジボトルに作動できるように接続される噴霧ヘッドを備える噴霧機器であって、
前記噴霧ヘッドは、
第１端部および第２端部を有し、第１流体を受け入れるための入口導管と、
トリガと、
前記入口導管の前記第２端部と連通している第１端部、環境と連通している第２端部、および前記カートリッジボトル内の前記第２流体と連通している第３端部を有している出口導管と、
前記出口導管内に置かれ、前記第１流体の前記入口導管から環境への通過を可能にするように前記トリガの移動に応じて回転するボール弁と、
前記カートリッジボトル内の前記第２流体に流路を開いて、前記第２流体を、環境への混合物の計量配分の前に、前記第１流体と混合させるための、流路を開く手段と、を具備し、この流路を開く手段は、トリガの移動に応じ、また、ギアアセンブリを含み、このギアアセンブリは、前記トリガの移動に応じて係合され、回転される第１ギアと、前記ボール弁に作動できるように接続されている第２ギアと、フォークに作動できるように接続されている第３ギアを有している、噴霧機器。
【請求項２】
さらに、一端で前記噴霧ヘッドに固定されており、その他端で前記カートリッジボトルに固定されるカートリッジシュラウドを備える、請求項１に記載の噴霧機器。
【請求項３】
前記ボール弁に作動できるように接続されているボール弁ギアをさらに具備する請求項２に記載の噴霧機器。
【請求項４】
前記トリガの移動により、前記ギアが、代わりに前記ボール弁を係合し、回転させる前記第２ギアを係合し、回転させ、前記トリガの追加移動により、第２ギアが、代わりに前記経路を前記第２流体に対して開放し、前記第２流体が、環境への計量配分前に前記第１流体と混合できるようにする前記第３ギアを係合し、回転させる、請求項１に記載の噴霧機器。
【請求項５】
計量アダプタが、前記カートリッジボトルへの前記流路の中に置かれ、前記計量アダプタが、前記第１流体と混合される前記第２流体の量を制御する、請求項４に記載の噴霧機器。
【請求項６】
前記カートリッジのシュラウドが、さらに、前記カートリッジのシュラウドを前記噴霧ヘッドに固定するために少なくとも１つの固定タブを備えている、請求項２に記載の噴霧機器。
【請求項７】
さらに、ジェット噴射を提供するノズル手段を具備する請求項１に記載の噴霧機器。
【請求項８】
前記カートリッジボトルは、前記トリガがオペレータにより係合されるまで、閉鎖システムとして前記第２流体を維持する、請求項１に記載の噴霧機器。
【請求項９】
さらに、前記入口導管の前記第１端部近くに置かれているホースナット取付手段を備え、前記入口導管に入り込む前記第１流体のソースからの漏れを削減する、請求項１に記載の噴霧機器。
【請求項１０】
前記流路を開く手段は、前記トリガの移動が前記ボール弁を開くように、前記ボール弁ギアと作動できるように係合可能なギアをさらに有する前記トリガと、フォーク部を備えたカムおよびフォークアセンブリとを有し、
前記トリガは、さらに、カンチレバーと係合可能であり、このカンチレバーは、第１端部と第２とを有し、前記トリガの移動に応じて、トリガは、前記カンチレバーの前記第１端部と係合して、第１の方向に移動し、この結果カンチレバーの第２反部を第２の方向に移動させ、そして
前記カムおよびフォークアセンブリは、カンチレバーの前記第２端部がカムおよびフォークアセンブリと係合して、これを移動させるように、カンチレバーと係合可能であり、また、このカムおよびフォークアセンブリは、移動のときに、前記フォーク部が計量アダプタと係合してこれを押圧し、カートリッジボトルから前記第２流体を出口導管に吐出させて第１流体と混合させて環境中へと吐出するように、計量アダプタと作動するように係合可能である、請求項３に記載の噴霧機器。
【請求項１１】
第２流体を含んでいるカートリッジボトルに作動できるように接続される噴霧ヘッドを備える噴霧機器であって、
前記噴霧ヘッドは、
第１端部および第２端部を有し、第１流体を受け入れるための入口導管と、
前記入口導管の前記第２端部と連通している第１端部、環境と連通している第２端部、および前記カートリッジボトル内の前記第２流体と連通している第３端部を有している出口導管と、
前記出口導管内に置かれ、ボール弁ギアを有するボール弁と、
自身の移動で前記ボール弁を解放するように、前記ボール弁ギアと作動するように係合可能なギアを有するトリガと、
前記ボール弁ギアと作動するように係合可能なギアを有するフォークと、
カートリッジボトルから前記第２流体を出口導管に吐出させ第１流体と混合させて環境中へと吐出させるのを制御するための計量アダプタと、
前記第２流体が前記第１流体と混合するように、前記計量アダプタと係合するための手段とを具備する噴霧器機。
【請求項１２】
前記計量アダプタは、前記カートリッジボトル内の上部弁棒の端部に取り付けられ、所定のオリフィス直径を有している請求項11に記載の噴霧機器。
【請求項１３】
さらに、第１端部および第２端部を有しているカートリッジボトルのシュラウドを備えており、前記シュラウドの前記第１端部が前記噴霧器ヘッドに固定されており、前記シュラウドの前記第２端が前記カートリッジボトルに固定される、請求項11に記載の噴霧機器。
【請求項１４】
前記シュラウドの第１端部は、固定タブにより前記噴霧器ヘッドに固定されており、前記シュラウドの前記第２端部が固定ラッチにより前記カートリッジボデイに固定される、請求項13に記載の噴霧機器。
【請求項１５】
さらに、一端で前記フォークに、およびその他端で前記計量アダプタに作動できるように接続されているスライダカムを備えている、請求項11に記載の噴霧機器。
【請求項１６】
前記トリガの移動は、トリガギアを前記ボール弁ギアに係合させて、これを回転させ、この結果、ボール弁を解放位置に回転させ、また、前記トリガギアは、前記フォークギアと係合してこれを回転させ、この結果、環境に吐出する前に、第２流体を第１流体に混合させる、請求項11に記載の噴霧機器。
【請求項１７】
第２流体を含んでいるカートリッジボトルに作動できるように接続され、外部の流体源から第１流体を受けるための入口流体導管を有する噴霧ヘッドを具備する噴霧機器であって、
前記噴霧ヘッドは、
前記入口流体導管と連通している出口流体導管と、
この出口流体導管内に配置された第１の弁と、
前記第１の弁と作動するように接続された第２のギアと作動するように係合可能な第１のギアを備えたトリガを有し、前記入口流体導管と出口流体導管との連通を果たすために、前記第１の弁を開閉する第１の手段と、
前記第２流体を第１流体に連通させることの可能な第２の弁と、
前記トリガの動作により前記第２のギアと動作的に係合可能な第３のギアを有し、前記第２の弁を開閉するための第２の手段とを具備する噴霧機器。
【請求項１８】
前記第２の弁を開閉するための手段は、第２の弁を開閉するためのスライダカムを有する請求項17に記載の噴霧機器。
【請求項１９】
さらに、ジェット噴射を提供するノズル手段を具備する請求項17に記載の噴霧機器。
【請求項２０】
前記カートリッジボトルは、前記トリガがオペレータにより係合されるまで、閉鎖システムとして前記第２流体を維持する請求項17に記載の噴霧機器。
【請求項２１】
さらに、前記入口導管の前記第１端部近くに置かれているホースナット取付手段を備え、前記入口導管に入り込む前記第１流体の流体源からの漏れを削減する、請求項17に記載の噴霧機器。
【請求項２２】
第２流体を含んでいるカートリッジボトルに作動できるように接続される噴霧ヘッドを備える噴霧機器であって、
前記噴霧ヘッドは、
第１端部および第２端部を有し、第１流体を受け入れるための入口導管と、
前記入口導管の前記第２端部と連通している第１端部、環境と連通している第２端部、および前記カートリッジボトル内の前記第２流体と連通している第３端部を有している出口導管と、
前記出口導管内に置かれ、ボール弁ギアを有するボール弁と、
トリガとを具備し、このトリガは、トリガの移動で前記ボール弁を解放するように、前記ボール弁ギアと作動するように係合可能なギアを有し、カンチレバーと係合可能であり、このカンチレバーは、前記トリガの移動に応じて、前記トリガは、カンチレバーの第１端部と係合して、第１の方向に移動させるように、第１端部と第２端部とを有し、また、前記噴霧ヘッドは、さらに、を具備し、このトリガは、
フォーク部分を有し、カンチレバーの前記第２端部がカムおよびフォークアセンブリと係合して、これを移動させるように、カンチレバーと係合可能であり、また、このカムおよびフォークアセンブリは、移動のときに、前記フォーク部が計量アダプタと係合してこれを押圧し、カートリッジボトルから前記第２流体を出口導管に吐出させ第１流体と混合させて環境中へと吐出するように、計量アダプタと作動するように係合可能であるカムおよびフォークアセンブリを具備する噴霧機器。
【発明の詳細な説明】
発明の分野
本発明は、化学出願の分野に関する。さらに具体的には、本発明は、典型的には芝生および庭の用途向けの、交換可能なカートリッジの中に保管されている化学物質を希釈し、計量配分する機器である。
発明の背景
芝生および庭の化学用途の技術で知られている多くのスプレーガン型アプリケータがある。典型的なホース端部芝生または庭噴霧器は、化学肥料、農薬、またはその他の化学薬品を一定の低希釈比率で適用する吸引装置である。高比率まで希釈されなければならない濃縮液を利用するためには、ユーザは、通常、該濃縮液を水で事前希釈する。これは、スプーン、キャップ、またはその他の測定装置を使用して噴霧器混合瓶の中に入れることによる該濃縮液の体積測定によって達成される。それから、適切な事前混合濃度を得るために、水が加えられる。該事前希釈濃縮液は、噴霧器が操作されるに従い最終的な希釈率まで、それからさらに希釈される。
このような事前希釈手順には、手による濃縮された化学物質の取り扱いが必要になり、それにはリスクが伴われる。さらに、ユーザは、一般的には、一度だけの用途に必要となるより多くの量で該濃縮液を購入しなければならないため、濃縮されている化学物質の容器は、開封された後も長い期間保管されなければならない。他方、一（１）度のステップで高い比率で該濃縮液を希釈することによって事前希釈を回避しようと試みる装置は、非常に不充分な精度のために満足が行かない。噴霧装置におけるこのような使用を含む、化学物質の２ステップ混合または希釈という概念は既知である。例えば、米国特許第2,006,437号、第2,599,678号、第2,711,928号、第2,760,820号、第3,104,823号、第3,181,797号、第3,499,606号、および第4,027,822号を参照のこと。ただし、これらの特許に示されている装置は、扱いにくいか、あるいはそれ以外の場合、庭用噴霧装置には不適切である。Garrettに発行されている米国特許第3,165,114号は、標準供給ミキサー装置とともに使用することのできる流体溶性物質の計量配分パッケージを開示している。流れている水のいくらかはニップルおよび入口管を通して下方へ分流され、パッケージの底部に至る。吸引設備が、溶解した物質を、出口管を通して引き出す。装置は、水が絶えずそれを通って流れることを必要とし、該流れを遮断したり、制御する筒形弁を提供しない。
Hultgrenらに発行されている、米国特許第3,198,438号は、先細プラグを開口の中から押し出し、水が混合チェンバー内に流れ込み、折畳式の容器の中から流体を引き出すためのベンチュリ吸引を作ることができるトリガ動作を必要とする。やはりHultgrenらに発行されている米国特許第3,255,972号は、第‘438号特許に開示されているか他の噴霧器とともに使用するための使い捨て容器を開示している。D'Muharaに発行されている米国特許第3,554,450号は、多様な固体または液体が入っている取外し可能なカートリッジを収容するスプレーガンを教示している。端部キャップは、混合チェンバーを通り、ノズルを出る水を制御するために捻って外されている。
米国特許第3,915,191号は、浴室の蛇口に取り付けられてよいシャワー用の水混合装置を開示している。セレクタ弁は、選択的に、入口チェンバーからの水が第２チェンバーの多様な筐体（enclosure）を通って流れることを可能にする。少なくとも一（１）つの筐体が、石鹸などの溶性物質を受け入れるための容器を有している。該石鹸の初期溶解は提供されず、該石鹸は該水の直流により移送され、吸引により引き出されない。
Vietsらに発行されている米国特許第4,491,254号は、希釈水性の形を取る化学物質を計量配分するためのアプリケータを教示している。該アプリケータは二（２）つの容器を有している。該第２容器は、第１容器から水で希釈されている化学物質を受け入れる。２位置回転可能弁が、水の流れを、化学物質を事前希釈するために第１容器に向けるか、あるいは該事前希釈された化学物質と混合するために吸引装置を横切って流し、それを通路の出口端部を通って排出する。Vietの装置は、扱いにくく、潜在的に安全ではない手順がある、化学物質を加えるため、および該容器をいっしょに螺合し、それらを取り付けるためにキャップを該容器から取り外すことを必要とする。Vietsらによって教示されている該弁は、二（２）つの位置を有するだけである。水は、化学物質を希釈するために該第２容器の中に、あるいは通路を通って絶えず流れている。オペレータは、水の流れをオンにしたりオフにし、流量を制御するために、アプリケータに付着するように特別に適応されなければならない従来のノズルを使用しなければならない。
Styleに対する米国特許第5,213,264合は、噴霧器ヘッドおよびカートリッジを有している噴霧機器を教示している。筒形弁は、入ってくる流体が直接混合チェンバー内に流れ込むのか、それとも管を通ってカートリッジの中に流れ込むのか、あるいはまったく流れないのかを制御する。該カートリッジの上部には膜が必要とされ、付着中に噴霧器ヘッド管により穴が開けられる。Styleに対する米国特許第5,332,158号は、交換可能なカートリッジ付きの噴霧装置を教示している。さらに具体的には、米国特許第5,332,158号が、混合導管の中に流体を導く流体入口ポートを有している噴霧器を教示している。吸引設備ポートは、該混合導管を該カートリッジ内の第２流体と接続する。噴霧器ヘッドの通気ポートは、該カートリッジ内の通気孔と接続し、適切な吸引を可能にし、漏れを削減するために、差圧を削減する。ノズル手段は、制御されたジェット噴霧を可能にする。
過去の研究は、多様な殺虫剤、除草剤、洗剤、および化学肥料を希釈し、計量配分するための装置を容易に、経済的に、安全に、かつ環境的に提供するための試みにおいて制限されている。オペレータがトリガを係合するまで、化学物質を閉鎖システムの中に保つ噴霧装置に対する必要性がある。また、エンドユーザが、水の化学物質に対する比率を調節することについて心配する必要がないように、計量オリフィスが事前設定される噴霧器に対する必要性もある。
発明の概要
本発明の噴霧器は、独特のトリガ配列を有している。ある実施形態においては、オペレータがトリガを係合すると、ギアが、代わりにボール弁を回転させ、それによって水流路を開放するボール弁ギアを係合し、回転させる。それ以降、同じ運動では、該ボールギアは、化学物質流路を開く化学物質流路カートリッジ内の計量弁を代わりに押すスライダカムを押すフォークギアを係合し、回転する。好ましい実施形態においては、該トリガは、カンチレバーの一端を係合する伸張部を有している。該トリガが、該カンチレバーの一端を係合するに従って、該カンチレバーの他端がカムを係合する。該カムは、代わりに計量弁を係合し、押す。該計量カムの該押される運動が、該化学物質カートリッジへの該流路を開く。この構造上の係合が、閉鎖化学物質システムを提供し、カートリッジが該噴霧器に組み立てられてからも該閉鎖システムを維持し、このよにして、該化学物質カートリッジがいったん該噴霧器に取り付けられると、該化学物質経路が絶えず開いたままとなる従来の技術の噴霧器より安全である噴霧器を作り出す。該独特の配列は、従来の技術の噴霧器より確実な動作に備える。
また、本発明の該噴霧器は、事前成形されている計量アダプタも含み、そこではオリフィス直径は、物理的な試験に基づき製造中に事前に設定される。したがって、エンドユーザが、該計量アダプタを調整する必要はない。その結果、該噴霧器は、さまざまな用途に共通となり、エンドユーザは単に異なる用途に異なるカートリッジを使用するだけである。
また、本発明の該噴霧器は、該カートリッジシュラウドを該噴霧器に固定する改善された手段も含む。該カートリッジシュラウドは、該カートリッジを該噴霧器に向ける手段として突出しているスライダカムを使用して、該噴霧器上に回転される差込みピン取付部品の手段により該噴霧器ヘッドに固定される。それから、該カートリッジボトルが、該ボトルネック仕上げに螺合されている弁閉鎖（closure）の下で固定されているシュラウド内のロッキングラッチにより該カートリッジシュラウドに固定される。
【図面の簡単な説明】
図１は、閉鎖位置にあるカートリッジを示している。本発明の噴霧装置の実施形態の側面断面図である。
図２は、開放位置にあるカートリッジを示している、図１の実施形態の側面断面図である。
図３は、図１の装置の断面図である。
図４は、図１の装置の部分的な断面図である。
図５は、本発明の噴霧装置の好ましい実施形態の断面図である。
図６は、図５の好ましい実施形態の側面断面図である。
図７は、図１の装置の分解断面図である。
本発明は、多様な修正および代替形式に影響されやすいが、特定の実施形態は、図面の例により示され、ここに詳細に説明されるだろう。しかしながら、本発明が、開示されている特定の形式に限られることを意図されていないことが理解されなければならない。むしろ、本発明は、添付請求項により定められている本発明の精神および範囲に従うすべての修正、同等物、および代替策を対象とする。
例示的な実施形態の説明
本発明の該噴霧装置は、一般的には、以下の３つの主要な部分から成り立っている。つまり（１）噴霧ヘッド、（２）カートリッジシュラウド、および（３）カートリッジボトルである。図１ないし図４および図７は、本発明の該噴霧装置の一つの実施形態を示している。図５および図６は、本発明の好ましい実施形態を示している。
一般的にはどの実施形態を参照しても、噴霧器ヘッド10は、代わりにカートリッジボトル14に固定されているカートリッジシュラウド12に作動できるように固定されている。典型的には水である第１流体は、ホースナット取付部品16を通って噴霧ヘッド10に、流体入口導管18の中に入り込む。ホースナット取付部品16は、該流体入口導管18に入る、庭用ホースなどの該第１流体のソースからの漏れを削減する。該ホースナット取付部品16は、逆流および流体入口導管18からの漏れを防止するための、技術でよく知られている耐サイフォン（anti−siphon）装置を含む可能性がある。
流体入口導体18は、噴霧器ヘッド10に支持を提供し、該参照されている導管、ポート、およびその他の流路を通る流体の流れを改善するハウジング20の中に置かれる。プラスチック材などの任意の適切な材料は、該ハウジングを備えてよい。流体入口導管18の該第１端部は、ホースナット取付部品16に接続されている。流体入口導管18の該第２端部は、出口流体導体22の該第１端に作動できるように接続されている。該出口流体導管の該第２端部は、ジェット噴霧を提供するノズル手段24に作動できるように接続されている。ノズル手段24は、上下に噴霧するため、または選択的にジェット噴霧を提供するために、調節可能であることが望ましい。ノズル手段は技術ではよく知られている。出口流体導管22は、入口流体導管18と同様に、ハウジング20の中に置かれている。
入口流体導管18は、第２端部で、図５および図６、もしくは図１ないし４並びに７に図示されているように直接的に、または任意の適切な材料から作ることができる収縮（flex）管26によって、出口流体導管22の第１端部へ作動できるように接続されている。収縮管26は、該導管が、図１の文字“a"によって示されているように、傾斜しているずれ関係にあるために該導管の傾斜している接続も提供する一方で、入口流体導管18と出口流体導管22の間に連通を提供する手段となるだけである。（図５および図６に示されているように）直接的な接続が使用される場合、入口流体導管18は、該文字“a"により示されているずれを提供するために、内蔵されている傾斜しているずれを有してよい。ホースナット16、入口流体導管18（収縮管26を有する、または有していない）、出口流体導管22、およびノズル手段24により作り出されている該通路は、該第１流体の噴霧器ヘッド10全体での流体接続に備える。
カートリッジシュラウド12は、それを噴霧器ヘッド10に向ける手段として突出しているスライダカム30を使用して噴霧器ヘッド10の上に回転される差込みピン取付部品により噴霧器ヘッド10に固定されている。該差込みピン取付部品は、おもに、図４にもっともよく示されている固定タブ配列により達成される。固定タブ32は、ハウジング20のＵ形脚部34により作り出される溝穴の中に摺動自在に係合し、ロックする。動作中、ユーザはスライダカム30を使用して、カートリッジシュラウド12を噴霧器ヘッド10に向けてよい。いったん向けられると、該オペレータは、カートリッジシュラウド12を回転し、固定タブ32を、固定タブ34が適所に固定されるまで、脚部34により形成されている該溝穴の中に位置あわせしてよい。カートリッジシュラウド12は、該噴霧器ヘッド10をカートリッジボトル14の接続部まで安全に覆う。
カートリッジボトル14は、その中に第２流体を入れるために特に有効な装置である。該第２流体は、該第１流体で希釈されると、農薬、除草剤、殺虫剤、蝋付け、または製品の洗浄、エンジン洗剤、路面洗剤、または化学肥料などの複数の用途のどれかに向けた環境への排出に適するようになる。図３にもっともよく見られるように、カートリッジボトル14は、ボトルネック仕上げに螺合されている弁閉鎖38の下で固定されている固定ラッチ36によりカートリッジシュラウド12に固定されている。カートリッジシュラウド12の該外面は、カートリッジボトル14の外面上に伸び、さらにタブ40によりカートリッジボトル14に固定されている。
本発明の該噴霧機器の主要な目的とは、水などの該第１流体を、化学物質などの該第２流体の所定の量と混合し、該混合物を環境に計量配分することである。本発明の噴霧機器の新規の特徴とは、該第１流体および第２流体が混合され、計量配分される方法である。
典型的には化学品である該第２流体は、カートリッジボトル14内の閉鎖システム内に保たれている。該第２流体は、該カートリッジボトル14が該合わせ噴霧ヘッド10に組み立てられるときに、トリガ42の係合によってのみ計量配分することができる。すなわち、該第２流体は、カートリッジボトル14が噴霧器ヘッド10に作動できるように取り付けられた後も、カートリッジボトル14内の閉鎖システムの中にとどまる。さらに、カートリッジボトル14が噴霧器ヘッド10からいったん取り除かれると、カートリッジボトル14から出る該流体経路は自動的に閉じ、閉鎖されているシステム内部に該第２流体の供給を保つ。
前述されたように、該第１流体および第２流体は、該オペレータによるトリガ42の係合および起動により混合され、計量配分される。トリガ42は、作動できるようにハウジング20に取り付けられている。好ましくは、トリガ42は、通常、流体入口導管18の下に位置している。ばね44aが、該オペレータにより係合され、起動されるまで（第１流体および第２流体の両方用の通路が閉じられている）中立位置にトリガ42を偏向する。トリガ42は、さらに、一体形として、トリガギア44を含むか、あるいは、作動できるように別個の部品としてトリガギアに接続されている。どちらの実施形態においても、トリガ42の移動により、トリガギア44は、トリガ42がオペレータにより起動されるに従って回転する。
図１から図４に図示されているように、本発明の１つの実施形態においては、トリガギア44は、トリガギア44が回転するに従って、ボール弁ギア46に同様に回転させるように、弁ギア46と作動できるように係合される。ボール弁ギア46は、弁48に作動できるように接続されている。図３にもっともよく示されているように、弁48は、好ましくは、出口流体導管22に置かれているボール弁である。閉鎖位置においては、弁48は、出口流体導管22を通る該第１流体の通路を妨げる。完全に回転されている、つまり開放位置においては、弁48は、該第１流体が入口流体導管18から、出口流体導管22の中に、および出口流体導管22を通って流れることができるようにする。
図３に図示されているように、出口流体導管22は、少なくとも３つの端部および開口部を備えている。該第１開口部は、収縮管26により入口流体導管18と連通関係にある。該第２開口部、つまり端部は、ノズル24と連通関係にある。出口流体導管22の該第３端部、つまり、開口部は、流体経路50によってカートリッジボトル14の中の第２流体と連通している。
前述されたように、トリガ42の起動は、代わりに、弁48を係合し、回転位置まで回転させる弁ギア46を代わりに係合し、回転させるトリガギア44を回転させる。トリガ42をさらに移動させると、弁ギア46はさらに回転し、おもにギア54およびフォーク56を備える、フォークギアアセンブリ52を回転し、係合する。ギア54が弁ギア46により回転されると、フォーク56は、好ましくは下方位置または押されている位置で移動する。フォーク56は、下方に移動するに従い、下方位置でスライダカム30を係合し、押す。スライダカム30は、フォークギアアセンブリ52によって押されるにつれて、それは流路50の中に置かれている計量ベ58を押して、開き、それによって流路50を開放し、該第２流体が出口流体導管22の中に流れ込むことができるようにする。該第２流体は、出口流体導管22の中の第１流体の流れにより流路50の中に作り出される真空により流路50上に引き出される。該第１流体および第２流体は、ノズル手段24を通して環境の中に計量配分する前に、該出口流体導管22の中で混合する。
図５および図６に図示されているように、本発明の好ましい実施形態においては、トリガ44は、トリガギア44が回転するに従って、ボール弁ギア46も同様に回転させるように、弁ギア46と作動できるように係合されている。ボール弁ギア46は、作動できるように弁48に接続されている。図５に見られるように、弁48は、好ましくは、出口流体導管22の中に置かれている。閉鎖位置では、弁48は、該第１流体の出口流体導管22を通る通過を妨げる。完全に回転されている、つまり開放位置においては、弁48は、該第１流体が、入口流体導管18から、出口流体導管２の中に、および出口流体導管22を通って流れることができるようにする。
図５に示されているように、出口流体導管22は、少なくとも３つの端部または開口部を備える。該第１開口部は、収縮管26により入口流体導管18と連通関係にある。該第２開口部、つまり端部は、ノズル24と連通関係にある。出口流体導管22の該第３端部、つまり開口部は、流体経路50によりカートリッジボトル14の該第２流体と連通している。
弁48を開放位置まで回転させることに加えて、トリガ42はカンチレバー64を係合する。さらに具体的には、トリガ42は、カンチレバー64の一端を係合する伸張部62を有している。カンチレバー64の一端が係合され、一方向で移動するにつれて、カンチレバー64の反対側の端部は反対方向で移動する。カンチレバー64の該反対側の端部は、やはりカンチレバー様式で動作するカムおよびフォークアセンブリ66（図６に示されるように）を、代わりに係合し、移動する。さらに具体的には、カンチレバー64がカムおよびフォークアセンブリ66の伸張部を係合し、移動するに従って、フォーク部分68は下方位置でスライダカム30を係合し、押す。スライダカム30がカムおよびフォークアセンブリ66のフォーク部分68により押されるにつれて、それは流路50に置かれている計量弁58を開放し、それによって流路50を開放し、該第２流体が出口流体導管22の中に流れ込むことができるようにする。該第２流体は、出口流体導管22内で該第１流体の該流れにより流路50の中に作り出される真空によって、流路50の上に引き出される。該第１流体および第２流体は、ノズル手段24を通って環境の中に計量配分する前に、該出口流体導管22内で混合する。
該第１流体および第２流体の混合比率は、好ましくは計量弁58の上端に取り付けられているオリフィス弁60（図３に示されるように）により決定される。第１流体対第２流体の該混合比率は、オリフィス弁60の直径を変えることにより製造メーカによって事前に決定され、設定される。言い換えれば、該オリフィスアダプタ60は、事前に成形され、該オリフィス寸法は、特定の化学物質流体または製品を用いた製造メーカによる物理試験を通して確立される。該エンドユーザは、該混合比率を不正に変更したり、調整したりしないし、実際には該混合比率を不正に変更したり、調整することはできない。むしろ、さまざまなカートリッジボトル14は、さまざまな用途のために購入される。したがって、異なる化学物質の濃度は、オリフィス弁60の標準的なオリフィス直径を通して適切な混合比率を提供するように調整される。
トリガ42の解放は、計量弁58を閉じさせ、カートリッジボトル14からの流れを遮断させる。その結果、該第２流体、つまり化学物質は、カートリッジボトル14が噴霧器ヘッド10に組み立てられたままとなっている間も閉鎖システムの中にとどまる。さらに、閉鎖システムは、さらに、該噴霧器ヘッドおよびカートリッジボトル接続部を覆うカートリッジシュラウド12により提供される。
【図１】
0003542609.tif 000002
【図２】
0003542609.tif 000003
【図３】
0003542609.tif 000004
【図４】
0003542609.tif 000005
【図５】
0003542609.tif 000006
【図６】
0003542609.tif 000007
【図７】
0003542609.tif 000008